(57)【特許請求の範囲】
【請求項１】
ベース足に載置されたユニットベース上に、圧縮機と、熱交換器と、送風機用電動機と、ファンなどの機器を組み付け、前記ユニットベースの下部にドレンパンを装着し、四隅をキャビネットなどで囲った冷凍サイクル装置の室外機において、
前記ユニットベースの両側面のそれぞれに前記ユニットベースの底面から同じ高さに複数のユニットベースの固定穴を設け、前記ドレンパンの両側面の左側部分及び右側部分には前記ドレンパンの底面から同じ高さの位置に第１のドレンパンの固定穴をそれぞれ設け、前記ドレンパンの両側面の中央部分には前記第１のドレンパンの固定穴の高さより高い位置に第２のドレンパンの固定穴をそれぞれ設け、前記ユニットベースの固定穴と前記第１のドレンパンの固定穴及び前記第２のドレンパンの固定穴とを選択し締結部材で結合することによって、前記ドレンパンの取付け角度を、前記室外機の据付け設置面に対して調整可能とし、
前記室外機の設置時は、前記ユニットベースの固定穴と前記第１のドレンパンの固定穴及び前記第２のドレンパンの固定穴を選択し、前記締結部材で結合することによって、前記ドレンパンを前記室外機の据付け設置面に対して傾斜設置する
ことを特徴とする冷凍サイクル装置の室外機。
【請求項２】
前記室外機の輸送時は、前記ユニットベースの固定穴と前記第１のドレンパンの固定穴を選択し前記締結部材で結合することによって、前記ドレンパンを前記ユニットベースの底面と平行に設置することを特徴とする、請求項１記載の冷凍サイクル装置の室外機。
【発明の詳細な説明】
【技術分野】
【０００１】
この発明は、冷凍サイクル装置の室外機のドレンパンに関するものである。
【背景技術】
【０００２】
従来の室外機のドレンパンは、例えば、特許文献１に記載されるように、圧縮機と、給湯用熱交換器と、絞り弁と、蒸発器とを順次接続した冷凍サイクル回路を有する給湯室外機において、この給湯室外機の底部を構成するユニットベースと、上記蒸発器と上記ユニットベースとの間に設けられたドレンパンを備えたものが、開示されている。
【先行技術文献】
【特許文献】
【０００３】
【特許文献１】特開２００８−１５１４１８号公報（段落０００７、図３）
【発明の概要】
【発明が解決しようとする課題】
【０００４】
従来の冷凍サイクル装置の室外機のドレンパンは、室外機の底部と平行、即ち室外機据付け時の設置面と平行になるような状態で取付け組立てられており、ユニットベースなどに固定、保持されている。かかる状況において、湿気の多い地域に室外機を設置する場合は、ドレン量が多くなるためドレンパンからドレン水が溢れないように、ドレンパンの高さ（深さ）を確保することが必要となり、ドレンパンの底を深く作る必要があった。
そのため、ドレンパンの高さが高くなった分、室外機自体の高さ寸法が高くなってしまう。また、据付け場所の据付け面の水平度によっては、室外機自体が傾いて据付けられる場合があり、この場合には、ドレンパンの排水口へドレン水が流れにくくなり、排水性が悪化するという問題もあった。
【０００５】
この発明は、上記の課題を解決するためになされたもので、据付け場所のドレン量の違いや据付け面の傾斜角度等により、ドレン水が溢れたりドレン水が流れにくくならない様に、状況に応じてドレンパンの取付け角度を可変調整し、適切なドレンの排水性を得ることが出来る、冷凍サイクル装置の室外機を提供するものである。
【課題を解決するための手段】
【０００６】
この発明は、ベース足に載置されたユニットベース上に、圧縮機と、熱交換器と、送風機用電動機と、ファンなどの機器を組み付け、前記ユニットベースの下部にドレンパンを装着し、四隅をキャビネットなどで囲った冷凍サイクル装置の室外機において、前記ユニットベースの両側面のそれぞれに前記ユニットベースの底面から同じ高さに複数のユニットベースの固定穴を設け、前記ドレンパンの両側面の左側部分及び右側部分には前記ドレンパンの底面から同じ高さの位置に第１のドレンパンの固定穴をそれぞれ設け、前記ドレンパンの両側面の中央部分には前記第１のドレンパンの固定穴の高さより高い位置に第２のドレンパンの固定穴をそれぞれ設け、前記ユニットベースの固定穴と前記第１のドレンパンの固定穴及び前記第２のドレンパンの固定穴とを選択し締結部材で結合することによって、前記ドレンパンの取付け角度を、前記室外機の据付け設置面に対して調整可能とし、前記室外機の設置時は、前記ユニットベースの固定穴と前記第１のドレンパンの固定穴及び前記第２のドレンパンの固定穴を選択し、前記締結部材で結合することによって、前記ドレンパンを前記室外機の据付け設置面に対して傾斜設置するものである。
【発明の効果】
【０００７】
この発明は、ドレンパンの取付け角度を可変調整可能にしたので、ドレンパンの傾斜角度を任意に可変して固定することが出来る。よって、据付け場所のドレン量の違いや据付け面の傾斜角度等の状況などに応じて、ドレンパンの傾斜角度を調整し、適切なドレン水の排水性を得ることが出来る。
【図面の簡単な説明】
【０００８】
【図１】この発明の実施の形態１における冷凍サイクル装置の室外機の分解斜視図である。
【図２】この発明の実施の形態１における冷凍サイクル装置の室外機の、ユニットベースとドレンパンの構造を示す斜視図である。
【図３】この発明の実施の形態１における冷凍サイクル装置の室外機の、ドレンパンの構造を示す斜視図である。
【図４】この発明の実施の形態１におけるドレンパンの第１の取付構造を示す側面図である。
【図５】この発明の実施の形態１におけるドレンパンの第２の取付構造を示す側面図である。
【図６】この発明の実施の形態１におけるドレンパンの第３の取付構造を示す側面図である。
【発明を実施するための形態】
【０００９】
実施の形態１．
図１は、この発明の実施の形態１における冷凍サイクル装置の、室外機８の分解斜視図を示す。ここで、室外機８は、ベース足３に載置されたユニットベース２上に、各機器を順次組み付けて完成させる。例えば、圧縮機４、熱交換器５、送風機用電動機６、ファン７などである。これらの機器は、他の機器、部材と共に、四隅をキャビネット（図示せず）などで囲われる。
また、ユニットベース２の下部には、ドレンパン１が装着されている。
【００１０】
図２は、冷凍サイクル装置の室外機８の、ユニットベース２とドレンパン１の構造を示す斜視図である。また、図３は、ドレンパン１の構造の斜視図である。
図２に示されるように、ユニットベース２は、室外機８の下部に設けられた２本のベース足３に載置されるようになっており、ドレンパン１は、ユニットベース２の下部に、２本のベース足３の間に配置されるようになっている。
ユニットベース２は受け皿の構造となっており、圧縮機４や熱交換器５等が、その上部に組み付けられている。また、ユニットベース２の底面には、熱交換器５で発生したドレン水が排出できるように、穴が形成されている。
ドレンパン１は、ユニットベース２から排出されたドレン水を受けることができるように形成されている。そして一旦、ドレンパン１で受けたドレン水は、排水口１２から、室外機８の外部へ排出される。
【００１１】
ドレンパン１の側板１Ａ、１Ｂは、中央部分と左右部分では形状が異なっており、図示の左側部分（排水口１２側）は中央部分より、ドレンパンの底面から上部端面までの高さが高く、右側部分は中央部分から右側端部に向かって傾斜した形状になっている。
ドレンパン１の側版１Ａ、１Ｂとユニットベース２の側版２Ａ、２Ｂには、図２、図３に示すように、各々３箇所に固定穴１Ａａ〜１Ａｃ、１Ｂａ〜１Ｂｃ、２Ａａ〜２Ａｃ、２Ｂａ〜２Ｂｃが設けられている。
ここで、ドレンパン１の固定穴１Ａａ、１Ａｃ、１Ｂａ、１Ｂｃは、ドレンパン１の側版１Ａ、１Ｂの左側部分と右側部分に、ドレンパンの底面から同じ高さＨＡの位置に設けられている。また、固定穴１Ａｂ、１Ｂｂは、ドレンパン１の側版１Ａ、１Ｂの中央部分において、高さＨａに比べて、ドレンパン１の底面からの高さが高い位置（高さＨｂ）に設けられている。
そして、ドレンパン１の固定穴に対応して、ユニットベース２の固定穴２Ａａ〜２Ａｃ、２Ｂａ〜２Ｂｃは、ユニットベースの底面から、６ヵ所共、同じ高さ位置に設けられている。
尚、前述したように、ドレンパン１の側版１Ａ、１Ｂの図示の右側部分には、傾斜部が設けられている。この傾斜は、後述する様に、ドレンパン１を傾斜させてユニットベース２に取り付けた場合に、ユニットベース２と接触しないようにするためである。
【００１２】
図４は、この発明の実施の形態１におけるドレンパン１の第１の取付構造（平行固定）を示す側面図である。
この第１の取付構造は、室外機８の輸送時におけるドレンパン１の固定態様を示す。つまり、図２、図３に示す、ドレンパン１に設けられた固定穴１Ａｃ、１Ｂｃと、ユニットベース２の固定穴２Ａｃ、２Ｂｃとをボルトなどの締結部材１０にて結合し、またドレンパン１に設けられた固定穴１Ａａ、１Ｂａと、ユニットベース２の固定穴２Ａａ、２Ｂａとを、同じく締結部材１０で結合することにより、ドレンパン１をユニットベース２の下部に取付固定するのである。
このように取付けられたドレンパン１は、ユニットベース２の底面と、平行かつ、密着して設置される。
【００１３】
ところで、従来のドレンパン取付構造は固定であるため、ドレン水を排水口方向へ流れやすくしたい場合は、最初からドレンパンを傾け、傾斜を付けて取付けされている。これだと、ベース足３の高さＨｃがその傾斜の分だけ高くなり、室外機８の高さも、その分、高くせざるを得ない。
しかし、この実施の形態１においては、上記のように、輸送時は、ドレンパン１をユニットベース２に平行固定することで、ドレンパン１をユニットベース２と平行かつ密着して取付けられる。よって、室外機８の据付け設置面１３とドレンパン１の間に、室外機８の搬送のための吊り具（図示せず）や、フォークリフトの爪（図示せず）を通すためのスペースを確保することができる。
【００１４】
次に、この発明の実施の形態１におけるドレンパン１の第２の取付構造（傾斜固定）を、図２、図３、図５を用いて説明する。つまり、この第２の取付構造は、室外機８の最終設置場所に据付ける場合におけるドレンパン１の固定態様を示す。
まず、図２、図３に示す、ドレンパン１に設けられた固定穴１Ａｃ、１Ｂｃと、ユニットベース２の固定穴２Ａｃ、２Ｂｃとを、ボルトなどの締結部材１０にて結合する。次にドレンパン１に設けられた固定穴１Ａｂ、１Ｂｂと、ユニットベース２の固定穴２Ａｂ、２Ｂｂとを締結部材１０で結合して、ドレンパン１をユニットベース２の下部に取付固定するのである。
このように取付けられたドレンパン１は、室外機８の据付け設置面１３に対して、傾斜をつけて固定設置される。
【００１５】
このように、室外機８を設置場所に据え付けた状態において、ドレンパン１に傾斜を付けることにより、運転中に熱交換器５で発生したドレン水が、ドレンパン１の排水口１２に向かって流れやすくなる。よって、ドレン水が溢れたりドレン水が流れにくい、という不具合は起こらない。
尚、ベース足３の高さHｃは、ドレンパン１を傾けて取り付けるために必要な寸法長さが確保されている。この時、傾けたドレンパン１と室外機８の据付け設置面１３との間の距離を近接させる（例えば、０に近づける）ようにベース足３の高さＨｃを決める事で、室外機８の全高を、極力低く抑える事が出来る。
【００１６】
更に、ドレンパン１の傾斜角度は、前述したＨａ、Ｈｂの高さ寸法の差によって決まるので、傾斜角度を大きくしたい場合は寸法差を大きくすれば良い。傾斜角度を小さくしたい場合は寸法差を小さくすれば良い。もちろん、固定穴の水平方向の取付けピッチ（間隔）でも、傾斜角度の調整は可能である。
【００１７】
実施の形態２．
次に、この発明の実施の形態２におけるドレンパン１の第３の取付構造（傾斜フリー固定）を、図２、図３、図６を用いて説明する。
まず、図２、図３に示す、ドレンパン１に設けられた固定穴１Ａｃ、１Ｂｃと、ユニットベース２の固定穴２Ａｃ、２Ｂｃとをボルトなどの締結部材１０にて結合する。
次に、ドレンパン１に設けられた固定穴１Ａａ、１Ｂａと、ユニットベース２の固定穴２Ａａ、２Ｂａとに、各々、チェーン、取付け板などの連結可変部材１１を、ボルトなど締結部材１０を用いて固定する。こうすることで、固定穴１Ａｃ、１Ｂｃ、２Ａｃ、２Ｂｃと、締結部材１０とが支点となって、ドレンパン１は回動可能になる。
例えば、連結可変部材１１にチェーンを用いた場合、予め、チェーンの長さに裕度を持たせておき、チェーンの固定箇所を任意に変えることで、ドレンパン１の傾斜角度を可変することができる。
【００１８】
また、図６に示すように、ベース足３の下に架台９を設置し、室外機８のユニットベース２と室外機８の据付け設置面１３との間に、高さＨｄを確保すると、連結可変部材１１の固定箇所を変えることで、ドレンパン１は、図５の場合に比べ、架台９の高さ寸法分だけ大きく傾斜をつけることができる。
つまり、連結可変部材１１の固定箇所を変え、長さを変えることにより、ドレンパン１の傾斜角度を任意に設定することができる。
【００１９】
湿気が多い地域では、ドレン量が多くなる。よって従来のドレンパンは、ドレン水がドレンパンから溢れないように、ドレンパンの底を深く作る必要があった。また、室外機の据付け面が傾斜していたりすると、その傾斜角度等により、ドレン水が流れにくくなることもあった。
しかし、本実施の形態２では、ドレンパン１の傾斜角度を任意に可変できるため、傾斜角度を大きくとることによって排水性を向上させるので、室外機８の設置する地域や、据付け面の多少の水平度等を考慮しなくても良い。
【００２０】
ところで上記説明では、状況に応じたドレンパン１の取付け構造を述べたが、これらは締結部材１０の固定を外すことによって、随時、ドレンパン１の取付け傾斜角度の変更が可能であり、更にはドレンパン１の取外しも可能である。つまり、ドレンパン１を取外して、清掃、メンテナンスがおこなえる。
また、各固定穴の水平方向の取付けピッチ（間隔）を合わせておけば、ドレンパン１を水平方向に１８０度回転させる事で、ドレンパン１のドレン排水取り出し位置を、室外機８の正面側から背面側に切り替えることができる。
【００２１】
また、固定穴の高さ方向の位置については、ドレンパン１の側版１Ａ、１Ｂの固定穴、１Ａａ〜１Ａｃ、１Ｂａ〜１Ｂｃは、ドレンパン１の底面から同じ高さにして、ユニットベース２の側版２Ａ、２Ｂの固定穴、２Ａａ〜２Ａｃ、２Ｂａ〜２Ｂｃの高さを変える様にしてもよい。この時、ユニットベース２の固定穴は、中央部分の２Ａｂ、２Ｂｂの高さを低くする様に設けるのである。
更に、固定穴は各々３箇所でなくてもよく、例えば各々４箇所以上に、底面からの高さを段階的に変えて固定穴を設けると、ドレンパン１の取付け角度を、室外機８の据付け設置面１３に対して、段階的に変えることが可能である。
【符号の説明】
【００２２】
１    ドレンパン
２    ユニットベース
３    ベース足
４    圧縮機
５    熱交換器
８    室外機
９    架台
１０    締結部材
１１    連結可変部材
１２    排水口
１３    据付け設置面
１Ａａ〜１Ａｃ    ドレンパン側板の固定穴
１Ｂａ〜１Ｂｃ    ドレンパン側板の固定穴
２Ａａ〜２Ａｃ    ユニットベース側板の固定穴
２Ｂａ〜２Ｂｃ    ユニットベース側板の固定穴
【図１】
0005758681.tif 000002
【図２】
0005758681.tif 000003
【図３】
0005758681.tif 000004
【図４】
0005758681.tif 000005
【図５】
0005758681.tif 000006
【図６】
0005758681.tif 000007